(57)【要約】【課題】ボタンによって帽子に着脱可能に取付けることのできるウィッグを提供することを目的とする。【解決手段】開口下縁部の内側に、複数のボタンが帯状に縫い付けられた帽子２に着脱可能に取り付けられる着脱式ウィッグ３であって、上記ボタンと掛け合わされる複数のボタン孔が形成された帯状の掛合部材と、上記掛合部材に重ねて取り付けられ、複数の毛髪３３が植設された帯状の毛髪植設部材とを有することを特徴とする着脱式ウィッグ３を提供する。【選択図】図１
0003164891.tif 000002
【実用新案登録請求の範囲】
【請求項１】
開口下縁部の内側に、複数のボタンが帯状に縫い付けられた帽子に着脱可能に取り付けられるウィッグであって、
上記ボタンと掛け合わされる複数のボタン孔が形成された帯状の掛合部材と、
上記掛合部材に重ねて取り付けられ、複数の毛髪が植設された帯状の毛髪植設部材と、を有する、
ことを特徴とする着脱式ウィッグ。
【請求項２】
少なくとも上記毛髪植設部材は、上記帽子を着用者が着用した際、当該着用者の一方の目尻から他方の目尻を、後頭部側を介して結ぶ頭部の周囲径に略等しい長さからなる、
請求項１記載の着脱式ウィッグ。
【請求項３】
上記複数の毛髪は、上記ウィッグが取り付けられた帽子を着用者が着用した際、両耳の上方に当たる位置を避けて上記毛髪植設部材に植設されている、
請求項１又は２記載の着脱式ウィッグ。
【請求項４】
上記毛髪植設部材は、上記掛合部材と、一部を開口させて側縁部同士が縫い付けられており、当該縫い付けられていない部分が、上記ボタン孔に上記ボタンを嵌める際に、ボタン孔の裏側に手を差し入れるための開口部を形成する、
請求項１乃至３いずれかの項に記載の着脱式ウィッグ。
【請求項５】
上記帯状の掛合部材は、伸縮可能なゴム織物からなる、
請求項１乃至４いずれかの項に記載の着脱式ウィッグ。
【請求項６】
上記帯状の毛髪植設部材は綿素材からなる、
請求項１乃至５いずれかの項に記載の着脱式ウィッグ。
【請求項７】
上記毛髪は、人毛からなる、
請求項１乃至６いずれかの項に記載の着脱式ウィッグ。
【考案の詳細な説明】
【技術分野】
【０００１】
本考案は、ボタンによって帽子に着脱可能に取り付けられるウィッグに関する。
【背景技術】
【０００２】
病気の治療などでは、薬による副作用などによって、髪が抜け落ちてしまうことがある。この場合、患者等は、見た目を取り繕うため、帽子やバンダナ、あるいはカツラ等を頭に着用し、頭部を隠したりする。
【０００３】
しかし、帽子やバンダナを着用しても、髪の生え際が不自然に見えてしまう。また、カツラは、高価な上に、着けなれない者にとっては着脱やメンテナンスも面倒である。
【０００４】
この点、特許文献１〜３では、帽子やバンダナに装着することのできる部分カツラや、帽子の縁に毛髪が取り付けられた帽子などが提案されている。
【先行技術文献】
【特許文献】
【０００５】
【特許文献１】特開２００５−１７１４３６号公報
【特許文献２】実用新案登録第３１３０３６３号公報
【特許文献３】実用新案登録第３０７４０８６号公報
【考案の概要】
【考案が解決しようとする課題】
【０００６】
上記特許文献１〜３記載のものは、毛髪を固定したものを、帽子等に縫い止めたり、スナップボタンや面ファスナによって取り付けたりしたものであり、これまでボタンを掛け合わせて留めるタイプのものはなかった。
【０００７】
そこで、本考案は、ボタンによって帽子に着脱可能に取付けることのできるウィッグを提供することを目的とする。
【課題を解決するための手段】
【０００８】
上記目的を達成するため、本考案に係る着脱式ウィッグは、開口下縁部の内側に、複数のボタンが帯状に縫い付けられた帽子に着脱可能に取り付けられるウィッグであって、上記ボタンと掛け合わされる複数のボタン孔が形成された帯状の掛合部材と、上記掛合部材に重ねて取り付けられ、複数の毛髪が植設された帯状の毛髪植設部材と、を有することを特徴とする。
【０００９】
また、少なくとも上記毛髪植設部材は、上記帽子を着用者が着用した際、当該着用者の一方の目尻から他方の目尻を、後頭部側を介して結ぶ頭部の周囲径に略等しい長さからなるものとしてもよい。
【００１０】
また、上記複数の毛髪は、上記ウィッグが取り付けられた帽子を着用者が着用した際、両耳の上方に当たる位置を避けて上記毛髪植設部材に植設されているものとしてもよい。
【００１１】
また、上記毛髪植設部材は、上記掛合部材と、一部を開口させて側縁部同士が縫い付けられており、当該縫い付けられていない部分が、上記ボタン孔に上記ボタンを嵌める際に、ボタン孔の裏側に手を差し入れるための開口部を形成するものとしてもよい。
【００１２】
また、上記帯状の掛合部材は、伸縮可能なゴム材からなるものとしてもよい。
【００１３】
また、上記帯状の毛髪植設部材は綿素材からなるものとしてもよい。
【００１４】
また、上記毛髪は、人毛からなるものとしてもよい。
【考案の効果】
【００１５】
本考案によれば、ボタンを掛け合わせることにより、帽子にウィッグを着脱可能に取り付けることができる。
【図面の簡単な説明】
【００１６】
【図１】本考案の実施形態に係る着脱式ウィッグを装着した帽子を、着用者が着用した様子を示す図である。
【図２】本実施形態に係る着脱式ウィッグを示す平面図である。
【図３】本実施形態に係る着脱式ウィッグを着脱式ウィッグの分解平面図であり、（ａ）掛合部材、（ｂ）毛髪植設部材を示す。
【図４】本実施形態に係る着脱式ウィッグを装着する帽子を示す平面図である。
【図５】本実施形態に係る着脱式ウィッグを装着した帽子の一部破断斜視図である。
【考案を実施するための形態】
【００１７】
次に、本考案の実施形態に係る着脱式ウィッグについて、図を参照して説明する。
本実施形態に係る着脱式ウィッグ３は、図１に示されるように、帽子２に装着され（以下、着脱式ウィッグ３が一体的に装着された帽子２を「ウィッグ付帽子１」ということがある）、このウィッグ付帽子１を着用者が着用することで、着脱式ウィッグ３の毛髪３３が着用者の擬似的な毛髪になる。
【００１８】
着脱式ウィッグ３は、図２及び図３に示されるように、毛髪３３が植設された帯状の毛髪植設部材３ａと、この毛髪植設部材３ａと略同じ大きさで、所定の箇所にボタン孔３１が形成された帯状の掛合部材３ｂとからなる。そして、毛髪植設部材３ａに掛合部材３ｂが縫い付けられて、一体的に着脱式ウィッグ３を構成する。
【００１９】
着脱式ウィッグ３は、ウィッグ付帽子１を着用者が着用した際、当該着用者の一方の目尻から他方の目尻を、後頭部側を介して結ぶ頭部の周囲径と略等しい長さに形成されている。
これにより、ウィッグ付帽子１を着用者が着用した際、顔に毛髪３３がかからないようになっている。
【００２０】
掛合部材３ｂには、長さ方向に沿って、帽子２に取り付けられているボタン２１（後述の図４参照）と掛け合わされるボタン孔３１が複数形成されている。
本例におけるボタン孔３１は、帽子２に取り付けられているボタン２１の数よりも多く、狭い間隔で形成されており、掛け合わせ易い位置でボタン孔３１にボタン２１を掛け合わせることができるようになっている。
【００２１】
掛合部材３ｂは例えば、綿等の布材により構成することができるほか、布材の中にゴム紐が入ったゴム織物などであってもよい。ゴム織物を用いることで、帽子２のボタン２１をボタン孔３１に掛け合わせる際、帽子２のボタン２１とボタン孔３１の取付位置が僅かにずれたりしている場合でも、帽子２に着脱式ウィッグ３を確実に取り付けることができる。また、ウィッグ付帽子１を着用者が着用した際、頭部を包む掛合部材３ｂが締まって、ウィッグ付帽子１が不意に外れたり、飛ばされたりすることがない。
【００２２】
毛髪植設部材３ａは、毛髪３３が植設された部材である。
この毛髪植設部材３ａは、一対の帯状の布地部材３２の間に毛髪３３の根元を挟み込んでおり、長辺のうちの一縁辺部から毛髪３３が外側へ延び出している。
【００２３】
また、この毛髪植設部材３ａは、ウィッグ付帽子１を着用者が着用した際、当該着用者の両耳の上方に当たる位置において、毛髪３３が植設されていない毛髪不設部３３ａが形成されている。これにより、ウィッグ付帽子１を着用者が着用した際、毛髪３３が耳にかかって浮いてしまうといった違和感を与えることがない。
さらに、着用者の後頭部付近にあたる部分には、毛髪を厚めに植設しておいてもよい。
【００２４】
布地部材３２は例えば、綿素材により構成することができ、接触する着用者の皮膚に優しい素材を用いるのが好適である。また、掛合部材３ｂと同様に、ゴム織物であってもよい。
【００２５】
植設される毛髪３３は、ナイロン等の合成樹脂により構成された人口毛や、動物の毛等、各種のものを用いることもできるが、本例では人毛を用いることで、より品質の良いものを提供している。
また、本例における人毛の毛髪３３は、キューティクルが半分だけ取り除かれた状態になっており、これにより、ウェーブやカラーなどの施術が容易に行えるようになっている。
なお、毛髪３３の色、ウェーブ、長さなどは、着用者の好みに応じたものを選択するとよい。
また、植設は、布地部材３２に糊等で貼り付けて固定したり、布地部材３２に毛髪３３を編み込んだり、各種の方法によることができる。
【００２６】
毛髪植設部材３ａは、４つの縁辺のうち、長さ方向の一辺を除いた３辺において、掛合部材３ｂに縫い付けられており、当該部分は縫着部１１を構成している。また、残る１辺側は、毛髪植設部材３ａと掛合部材３ｂの間に手を差し入れることのできる開口部１２を形成している。
これにより、着脱式ウィッグ３を帽子２に装着する際、開口部１２から、毛髪植設部材３ａと掛合部材３ｂの間に手を差し入れれば、ボタン孔３１にボタン２１を掛け合わせる作業を楽に行うことができる。
【００２７】
図４に示されるように、帽子２には、開口下縁部の内側に、複数のボタン２１が帯状に縫い付けられている。
このボタン２１は、着用者が帽子２を着用した際、顔の上方に当たる部分（額に当たる部分）を避けて縫い付けられている。
また、このボタン２１は、ウィッグ付帽子１を着用者が着用した際、着用者が頭部に違和感を覚えないように、平たく、丸みを帯びた形状からなるものが好ましい。
【００２８】
ボタン２１の取り付けられる帽子２自体は、ツバの付いたものやツバのないものといった形状、あるいは、ハット、キャップ、帽子といった名称などによって特に限定されることはなく、着用者の好みに応じたものにボタン２１を縫い付けることで、着脱式ウィッグ３を装着できる帽子２を作製することができる。
【００２９】
図５は、ウィッグ付帽子１について、着脱式ウィッグ３と帽子２の装着構造を示している。
帽子２の下縁部の内側に取り付けられているボタン２１は、着脱式ウィッグ３のボタン孔３１に掛け合わせられ、これにより着脱式ウィッグ３が帽子２に装着されている。
また、ボタン２１は、着脱式ウィッグ３を帽子２に装着した際、毛髪植設部材３ａの布地部材３２に覆い隠されて、着用者の頭部に当たることがなく、着用者に不快感を与えたり、違和感を覚えさせたりすることがない。
【００３０】
以上の本実施形態によれば、着脱式ウィッグ３は、ボタン２１を掛け合わせることにより帽子２に確実に取り付けることができる。
また、その容易に取り外すことができると共に、取り外した状態でそのまま洗うことができるので、清潔に保つことが容易である。
【符号の説明】
【００３１】
１            ウィッグ付帽子
１１          縫着部
１２          開口部
２            帽子
２１          ボタン
３            着脱式ウィッグ
３ａ          毛髪植設部材
３ｂ          掛合部材
３１          ボタン孔
３２          布地部材
３３          毛髪
３３ａ        毛髪不設部
【図１】
0003164891.tif 000003
【図２】
0003164891.tif 000004
【図３】
0003164891.tif 000005
【図４】
0003164891.tif 000006
【図５】
0003164891.tif 000007